(57)【要約】【課題】小型・軽量で運搬や収納が極めて容易となる新しい捕球装置の提供。【解決手段】飛翔してきたボールを捕球する捕球部１０と、この捕球部１０を回動自在に支持する支持部２０とを有し、この支持部２０に対して前記捕球部１０を着脱自在に設けると共に、その支持部２０をコンパクトに折り畳み自在な構造とする。これによって、装置全体の小型・軽量化が可能となるため、捕球部１０と支持部２０とを分離してそれぞれ別個に搬送できるだけでなく、これらを狭い場所にも簡単に収容することができる。【選択図】図１
0003163978.tif 000002
【実用新案登録請求の範囲】
【請求項１】
飛翔してきたボールを捕球する捕球部と、当該捕球部を支持する支持部とを有する捕球装置であって、
前記捕球部は、前記支持部に着脱自在となっていると共に、
前記支持部は、前記捕球部を取り外した状態でほぼ柱状に折り畳み自在となっていることを特徴とする捕球装置。
【請求項２】
請求項１に記載の捕球装置において、
前記支持部は、互いにほぼ水平に対向する一対のベースフレームと、
当該ベースフレーム同士を近接離間自在に連結するリンク機構と、
前記一対のベースフレームに対してそれぞれ俯仰自在に軸支された一対のアームと、
当該各アームを前記各ベースフレームに所定の角度で支持する支持機構とを有することを特徴とする捕球装置。
【請求項３】
請求項２に記載の捕球装置において、
前記リンク機構は、前記一対のベースフレーム間にこれとほぼ並行に位置するセンターフレームと、
当該センターフレームを前記一対のベースフレーム側にそれぞれ軸支連結する複数のリンク部材と、
当該複数のリンク部材を前記センターフレームに対してそれぞれ直交方向に付勢する付勢部材とを有することを特徴とする捕球装置。
【請求項４】
請求項２または３に記載の捕球装置において、
前記支持機構は、それぞれ一端が前記ベースフレーム側および前記アーム側に軸支された一対の支持部材同士を屈曲自在に連結すると共に、
当該支持部材同士の連結部に、当該連結部の屈曲を規制するロック機構を備えたことを特徴とする捕球装置。
【請求項５】
請求項４に記載の捕球装置において、
前記ロック機構は、前記支持部材同士がほぼ直線状になったときにその連結部を囲むように位置する固定部材を有し、当該固定部材を前記支持部材の一方に当該連結部に対して近接離間自在に取り付けると共に、当該固定部材を当該連結部に対して近接する方向に付勢する付勢部材を有することを特徴とする捕球装置。
【請求項６】
請求項２乃至５のいずれかに記載の捕球装置において、
前記支持部に前記ベースフレーム同士が近接したときに当該ベースフレーム同士を連結する連結具を有することを特徴とする捕球装置。
【請求項７】
請求項１乃至６のいずれかに記載の捕球装置において、
前記支持部に車輪を備えたことを特徴とする捕球装置。
【請求項８】
請求項２乃至６のいずれかに記載の捕球装置において、
前記捕球部は、前記アーム間に架け渡すように取り付けられる枠体と、当該枠体に開口部が取り付けられた捕球袋とを有することを特徴とする捕球装置。
【請求項９】
請求項８に記載の捕球装置において、
前記枠体は、一対の軸体を有し、当該各軸体を前記各アームに軸支して取り付けられたことを特徴とする捕球装置。
【請求項１０】
請求項１乃至９の何れかに記載の捕球装置において、
前記支持部を構成する部材の一部又は全部が金属製のパイプからなることを特徴とする捕球装置。
【考案の詳細な説明】
【技術分野】
【０００１】
本考案は、テニスやサッカー、野球、ゴルフなどのあらゆる球技スポーツの練習に適した捕球装置に関するものである。
【背景技術】
【０００２】
テニスのボレーやサッカーのパスの練習、あるいは野球の投球練習などを一人で行う場合、ターゲットやターゲットとなるボール捕球（収集）用のバスケット（かご）があると便利である。そのため、この手の器具又は用具として従来からいくつか提案されている。
【０００３】
例えば、以下の特許文献１には、「打球の飛行線側に捕球網袋を装着して打球方向に対向する大口径リングを移動可能な基台に架設し、紐で開閉する排球口をもつ捕球網袋を大口径リングに装着用具で装着した」というテニス練習用捕球集器が提案されている。
【０００４】
また、以下の特許文献２には、「回転シートは互いに異なる方向でかつ下方へ向けて傾斜する四面を用い、回収シートの一端から情報へ立設されたターゲットシートを有し、打ち返されたボールをスムーズに回収し、投球動作を確実化する」というテニス練習機が提案されている。
【０００５】
また、以下の特許文献３には、「横枠と縦枠を有し、横枠と縦枠の内側に沿ってフランジが設けられ、このフランジの多数のガット糸通し穴に、それぞれ合成ゴムチューブがはめ込まれ、これら合成ゴムチューブに合成繊維糸を通してフランジに囲まれた部分にネットを形成した構造の反発ネットを備える、これによって、ボールの反発速度が速く、合成繊維糸を支える合成ゴムチューブがボールの衝撃振動を吸収させ、衝撃音を小さくできる」というテニスのボレー練習用具が提案されている。
【先行技術文献】
【特許文献】
【０００６】
【特許文献１】登録実用新案第３０３２５０２号公報
【特許文献２】特開２００４−１６０１１５号公報
【特許文献３】登録実用新案第３１５０９６２号公報
【考案の概要】
【考案が解決しようとする課題】
【０００７】
ところで、学校や公共施設などのような練習場所が限られている地域では、前述したような従来の練習用具や器具を常設することができず、練習の都度、運搬や収納を行わなければならない。
【０００８】
しかしながら、従来の前述したような従来の練習用具や器具は、その性質上ある程度の大きさと強度を必要とするために大きくて重くなり、その運搬や収納が困難であるといった欠点がある。
【０００９】
そこで、本考案はこれらの課題を解消すべく案出されたものであり、その主たる目的は、小型・軽量で運搬や収納が極めて容易な新規な捕球装置を提供することにある。
【課題を解決するための手段】
【００１０】
前記課題を解決するために本考案は、
飛翔してきたボールを捕球する捕球部と、当該捕球部を支持する支持部とを有する捕球装置であって、前記捕球部は、前記支持部に着脱自在となっていると共に、前記支持部は、前記捕球部を取り外した状態でほぼ柱状に折り畳み自在となっていることを特徴とする捕球装置である（第１の考案）。
【００１１】
このような構成をした本考案の捕球装置によれば、捕球部と支持部とを分離して搬送できるだけでなく、支持部をほぼ柱状にコンパクトに折り畳むことができるため、搬送が容易となると共に、狭い場所にも簡単に収容可能となる。この結果、例えば、普通乗用車などのトランクなどに簡単に積み込めるため、どこにでも簡単に持ち運ぶことができる。また、自転車や二輪車で運搬することも可能となる。
【００１２】
ここで、前記支持部としては、互いにほぼ水平に対向する一対のベースフレームと、当該ベースフレーム同士を近接離間自在に連結するリンク機構と、前記一対のベースフレームに対してそれぞれ俯仰自在に軸支された一対のアームと、当該各アームを前記各ベースフレームに所定の角度で支持する支持機構とで構成することにより、前記捕球部を取り外した後に全体をほぼ柱状に折り畳み可能となる（第２の考案）。
【００１３】
また、前記リンク機構としては、前記一対のベースフレーム間にこれとほぼ並行に位置するセンターフレームと、当該センターフレームを前記一対のベースフレーム側にそれぞれ軸支連結する複数のリンク部材と、当該複数のリンク部材を前記センターフレームに対してそれぞれ直交方向に付勢する付勢部材とで構成すれば、その付勢部材の付勢力によって支持部を簡単に展開してその状態を維持することができる（第３の考案）。
【００１４】
また、前記アームを支持する支持機構としては、それぞれ一端が前記ベースフレーム側および前記アーム側に軸支された一対の支持部材同士を屈曲自在に連結すると共に、当該支持部材同士の連結部に、当該連結部の屈曲を規制するロック機構を備えた構成とすれば、起立したアームを簡単に支持固定することができる（第４の考案）。
【００１５】
また、前記ロック機構は、前記支持部材同士がほぼ直線状になったときにその連結部を囲むように位置する固定部材を有し、当該固定部材を前記支持部材の一方に当該連結部に対して近接離間自在に取り付けると共に、当該固定部材を当該連結部に対して近接する方向に付勢する付勢部材を有する構成とすれば、支持部材同士をほぼ直線状にするだけでその連結部に固定部材が嵌め込まれるため、自動的にその状態にロックすることができる（第５の考案）。
【００１６】
また、前記支持部に当該ベースフレーム同士が近接したときに当該ベースフレーム同士を連結する連結具を備えれば、その状態つまり支持部をコンパクトに折り畳んだ状態で保持することができる（第６の考案）。
【００１７】
また、さらに前記支持部に車輪を備えれば、装置を押すだけで車輪が転がるため装置を容易に移動することができる（第７の考案）。
【００１８】
また、前記捕球部は、前記アーム間に架け渡すように取り付けられる枠体と、当該枠体に開口部が取り付けられた捕球袋とで構成すれば、この枠体をターゲットして利用できると共にその枠体内に入ったボールを捕球袋で捕球・収集することができる（第８の考案）。ここで、この捕球袋としては、特に限定されるものでなく、ボールが通過しない程度の編み目の網体（ネット）で構成しても良いし、木綿や化学繊維などからなる布やシートなどで構成しても良い。
【００１９】
また、前記枠体は、一対の軸体を有し、当該各軸体を前記各アームに軸支して取り付けた構成とすれば、この一対の軸体を軸として枠体が自由に回動するため、その枠体の向き、つまり捕球袋の開口部の向きを簡単に変えることができる（第９の考案）。
【００２０】
また、前記支持部を構成する部材の一部又は全部を金属製のパイプから構成すれば、必要な強度を維持しつつ全体の軽量化を達成できる（第１０の考案）。
【考案の効果】
【００２１】
本考案の捕球装置は、飛翔してきたボールを捕球する捕球部と、この捕球部を支持する支持部とを着脱自在にすると共に、その支持部をコンパクトに折り畳み自在としたことから、捕球部と支持部とを分離してそれぞれ搬送できるだけでなく、狭い場所にも簡単に収容することができる。この結果、例えば、普通乗用車などのトランクなどに簡単に積み込めるため、どこにでも簡単に持ち運ぶことができる。また、自転車や二輪車による運搬も可能となる。
【図面の簡単な説明】
【００２２】
【図１】本考案に係る捕球装置１００の実施の一形態を示す斜視図である。
【図２】捕球部１０を支持部２０から分離した状態を示す斜視図である。
【図３】展開した状態の支持部１０を示す平面図である。
【図４】（Ａ）は折り畳み中の支持部１０を示す平面図、（Ｂ）は折り畳み完了時の支持部１０を示す平面図である。
【図５】支持部１０の他の実施の形態を示す平面図である。
【図６】折り畳み完了後にアーム３０，３０間に連結具６０を架けてロックした状態を示す説明図である。
【図７】アーム３０，３０を起立させた状態の支持部１０を示す側面図である。
【図８】アーム３０，３０を倒し（起立し）始めた状態の支持部１０を示す側面図である。
【図９】アーム３０，３０を完全に倒した状態の支持部１０を示す側面図である。
【図１０】（Ａ）は図７中Ｓ部（ロック機構７０）を示す部分拡大図、（Ｂ）は図１０（Ａ）中ａ−ａ線矢視図、（Ｃ）は図１０（Ａ）中ｂ−ｂ線断面図である。
【図１１】（Ａ）は図１０（Ａ）の状態からロックを解除して屈曲させた状態を示す側面図、（Ｂ）は図１１（Ａ）中ａ−ａ線矢視図である。
【図１２】（Ａ）は図１１（Ａ）の状態からさらに屈曲させた状態を示す側面図、（Ｂ）は図１２（Ａ）中ａ−ａ線矢視図である。
【図１３】（Ａ）は図７中Ｓ部（ロック機構７０）の他の実施の形態を示す部分拡大図、（Ｂ）は図１３（Ａ）中ａ−ａ線矢視図である。
【考案を実施するための形態】
【００２３】
次に、本考案の実施の形態を添付図面を参照しながら説明する。図１〜図１２は、本考案に係る捕球装置１００の実施の一形態を示したものである。
【００２４】
まず、図１に示すようにこの捕球装置１００は、飛翔してきたボールを捕球する捕球部１０と、この捕球部１０を支持する支持部２０とから主に構成されている。
【００２５】
この捕球部１０は、金属パイプなどからなるリング状の枠体１１に、飛翔してきたボールを捕球・収容する捕球袋１２の開口部が取り付けられた構成となっている。
【００２６】
なお、この捕球袋１２としては、特に限定されるものでなく、ボールが通過しない程度の編み目の網体（ネット）で構成しても良いし、木綿や化学繊維などからなる布やシートなどで構成しても良い。また、この捕球袋１２の深さや大きさも捕球するボールの大きさや数、捕球の特性などに応じて様々なものを用いることができる。また、枠体１１は、図示するような真円形の他に楕円形や矩形状、多角形状など様々な形状のものを用いることができる。
【００２７】
また、図２に示すようにこのリング状の枠体１１の外周側には、一対の軸体１３，１３がそれぞれ径方向外方向に向けて植設されている。そして、これら各軸体１３，１３がそれぞれ支持部２０側のアーム３０，３０の先端にそれぞれ形成された貫通孔３１，３１内に貫通することでアーム３０，３０に着脱自在に取り付け（軸支）られるようになっている。
【００２８】
さらに、この枠体１１の軸体１３，１３は、その先端部分にネジ山が螺刻されたネジから構成されており、アーム３０，３０の貫通孔３１，３１にその軸体１３，１３を貫通させた後、その先端のネジ山に手回し可能なナット部材１５、１５をそれぞれ螺合させることで枠体１１をしっかりと固定できるようになっている。
【００２９】
なお、このようにして枠体１１をアーム３０，３０に固定するに際しては、図示するように予め軸体１３，１３側に緩衝および締め付け用の座金部材１４，１４を介在させておくことが望ましい。この座金部材１４，１４の材質としては特に限定されるものでなく、樹脂やシリコン、ゴム、金属、紙製、繊維製のものを用いることができる。
【００３０】
そして、このような構成とすることにより、この一対の軸体１３，１３を軸として枠体１１（補給部１０）が自由に回動するため、その枠体１１の向き、つまり捕球袋１２の開口部の向きを簡単に変えることができる。また、この開口部の向き（角度）を決定した後に、ナット部材１５、１５を締め付ければその位置で枠体１１を固定できるため、ボールの衝突などによって開口部の向きが簡単に変わってしまうようなこともない。
【００３１】
次に、支持部２０は、図２及び図３に示すように前述した一対のアーム３０，３０と、このアーム３０，３０を支持する一対のベースフレーム４０，４０と、このベースフレーム４０，４０同士を近接離間自在に連結するリンク機構５０とから主に構成されている（図３ではアーム３０，３０を省略）。
【００３２】
アーム３０，３０は、それぞれその一端がＵ字状の軸支部材３２、３２によってベースフレーム４０，４０の端部に軸支されており、その軸支部を軸として全体が上下方向に回動（俯仰）自在となっている。
【００３３】
ベースフレーム４０，４０は、それぞれロッド体または金属パイプ体などの比較的堅牢な材料で構成されており、リンク機構５０によって互いにほぼ水平かつ平行に連結されている。
【００３４】
リンク機構５０は、このベースフレーム４０，４０のほぼ中央に位置するセンターフレーム５１と、このセンターフレーム５１をこのベースフレーム４０，４０側に軸支連結する４本のリンク部材５２，５２，５２，５２と、このリンク部材５２，５２，５２，５２をセンターフレーム５１に対して直交方向に付勢するための付勢部材５３，５３とから主に構成されている。
【００３５】
すなわち、このセンターフレーム５１の一端および他端にはそれぞれリンク部材５２が一対づつ軸支されており、それぞれのリンク部材５２，５２，５２，５２がその軸支部を軸として水平方向に回動自在になっている。
【００３６】
そして、図３に示すようにこれらリンク部材５２，５２，５２，５２のうち、一方のベースフレーム４０（ａ）側に位置する上下一対のリンク部材５２（ａ），５２（ａ）がそれぞれ横Ｕ字状の軸支部材５４，５４を介してこのベースフレーム４０（ａ）側にそれぞれ軸支されている。また、同様にこれらリンク部材５２，５２，５２，５２のうち、他方のベースフレーム４０（ｂ）側に位置する上下一対のリンク部材５２（ｂ），５２（ｂ）がそれぞれ横Ｕ字状の軸支部材５４，５４を介してこのベースフレーム４０（ｂ）側にそれぞれ軸支されている。
【００３７】
従って、図４（Ａ）に示すように、このセンターフレーム５１に対してそれぞれのリンク部材５２，５２，５２，５２を水平方向に回動させることで、このベースフレーム４０，４０を互いに近接させたり離したりすることが可能となっている。そして、このセンターフレーム５１に対してそれぞれのリンク部材５２，５２，５２，５２を平行になるように回動させることで図４（Ｂ）に示すように、ベースフレーム４０，４０同士が最接近してコンパクトに折り畳むことができるようになっている。なお、この横Ｕ字状の軸支部材５４，５４はその位置がずれたりしないように溶接などによってそれぞれベースフレーム４０，４０側に一体的に固定されている。
【００３８】
付勢部材５３，５３は、図３などに示すように例えばコイルバネから構成されている。このコイルバネ５３，５３は、それぞれセンターフレーム５１の軸支部を斜めにパイパスするようにその一端がセンターフレーム５１側に係止されると共に、他端がリンク部材５２側に係止されるように取り付けられている。
【００３９】
従って、図４（Ｂ）に示すように完全に折り畳んだ状態から、図４（Ａ）に示すようにベースフレーム４０，４０同士を離すように展開すると、伸ばされていたコイルバネ５３，５３の収縮力によって、それぞれのリンク部材５２，５２がセンターフレーム５１に対してほぼ直角（９０°）になるように回動して図３に示すように自動的に最大位置まで展開すると共に、その状態が維持されることになる。
【００４０】
なお、図示していないが、このセンターフレーム５１の軸支部には回り止め（ストッパー）が設けられており、それぞれのリンク部材５２，５２がセンターフレーム５１に対してほぼ直角（９０°）よりも大きく回動しないように規制されている。また、このリンク機構５０を構成するセンターフレーム５１およびリンク部材５２，５２，５２，５２の長さは、図４（Ｂ）に示すように完全に折り畳んだ状態のときに、ベースフレーム４０，４０の長さを超えない長さに設定することが好ましい。
【００４１】
また、図５に示すようにこのセンターフレーム５１の軸支部分にこれを覆うようにそれぞれ円板状のカバー５５，５５を設けておけば、その部分に手や物が挟まるといった不都合を未然に回避することができる。
【００４２】
また、このベースフレーム４０，４０には、これらベースフレーム４０，４０同士を近接したとき、つまりリンク機構５０を完全に折り畳んだ状態のときにこれらベースフレーム４０，４０同士を連結する連結具６０が設けられている。
【００４３】
この連結具６０は、図６に示すように、短冊状をした細長い金属製の板部材６１から構成されており、その板部材６１の一端部にコ字状の切り欠き６２を横向きに形成すると共に他端部を一方のベースフレーム４０側に回動自在に軸支した構成となっている。さらに、この板部材６１の上面にはキノコ状の摘み部６３が植設されている。
【００４４】
そして、図６（Ａ）〜（Ｃ）に示すように、この摘み部６３を持って板部材６１を他方のベースフレーム４０側に回動し、その切り欠き６２をその他方のベースフレーム４０側に形成された係止ピン６４に引っ掛けることでリンク機構５０が勝手に開かないように確実に固定できるようになっている。
【００４５】
また、図２に示すようにこの支持部２０のベースフレーム４０，４０とアーム３０，３０との間には、それぞれアーム３０，３０をベースフレーム４０，４０に対して所定の角度で支持する支持機構７０、７０が設けられている。
【００４６】
この支持機構７０，７０は、図７に示すようにそれぞれ一端がベースフレーム４０，４０側およびアーム３０，３０側に軸支された一対の支持部材７１，７１同士を屈曲自在に連結すると共に、この支持部材同士７１，７１の連結部にロック機構８０を備えた構成となっている。
【００４７】
すなわち、これら一対の支持部材７１，７１の端部は、それぞれベースフレーム４０側およびアーム３０側に軸支されると共に、図１０〜図１２に示すようにその他端部同士がピン７１によって連結されており、このピン７２を軸としてこれら支持部材７１，７１がくの字形に屈曲（回動）自在となっている。
【００４８】
一方、ロック機構８０は、図１０に示すように断面コ字状の固定部材８１を支持部材７１，７１の連結部分に位置させ、この固定部材８１を、外側に位置する一方の支持部材７１側に、止めピン７３とコイルバネ８２とを介して取り付けた構造となっている。そして、同図（Ｂ）および（Ｃ）に示すように支持部材７１，７１同士がほぼ直線状になったときに固定部材８１がその連結部を囲むように位置するようになっている。
【００４９】
また、この止めピン７３が貫通する貫通孔７４は、止めピン７３の径よりもやや大きい長孔状になっており、図１１（Ｂ）に示すように断面コ字状の固定部材８１を、その端部（下端部）を支点として離す方向に揺動可能となっている。さらに、この断面コ字状の固定部材８１には、キノコ状の摘み部８３が設けられており、この摘み部８３を持って引っ張ることで簡単にこの固定部材８１を支持部材７１，７１側から離すことができるようになっている。
【００５０】
また、さらに図示するようにこの固定部材８１の屈曲方向側下端部には斜め方向に切り欠き８４が形成されており、図１１（Ｂ）に示すようにこの固定部材８１を支持部材７１，７１側から離したときにこの固定部材８１と支持部材７１との干渉を解除できるようになっている。
【００５１】
すなわち、図７に示すように支持部材７１，７１が直線状に位置しているときには図１０に示すようにロック機構８０の固定部材８１によって支持部材７１，７１の両側が押さえられているため、その状態が維持されることになる。これによって、アーム３０がベースフレーム４０に対して所定の角度で支持固定されることになる。
【００５２】
そして、この状態から図１１（Ｂ）に示すように固定部材８１を引っ張ると、この固定部材８１による支持部材７１，７１の規制が解除されてその連結部がフリーとなるため、同図（Ａ）および図１２ならびに図８及び図９に示すようにその連結部を軸として支持部材７１，７１をくの字形に屈曲することができる。
【００５３】
また、この固定部材８１は、コイルバネ８２によって支持部材７１側に押しつけられるように付勢されている。そのため、図９の状態からアーム３０を持ち上げて支持部材７１，７１同士が直線状になるように起立させる（図９→図７）と、図１０に示すように固定部材８１が支持部材７１，７１の両側を押さえるように嵌め込まれることになる。
【００５４】
すなわち、アーム３０を倒すときには、固定部材８１を引っ張る動作が必要となるが、アーム３０を起こしたときには、その状態を維持すべく自動的にロックされるような構造となっている。
【００５５】
なお、前述したようにこの固定部材８１に切り欠き８４を形成することで大きく引っ張らなくとも簡単に固定部材８１と支持部材７１との干渉を解除することができる。
【００５６】
また、前記図１０〜図１２では、支持部材７１，７１同士を連結するピン７２と止めピン７３とをそれぞれ別個の部材で構成したが、図１３に示すように、これらを一つのピン部材７５で兼用しても良い。
【００５７】
そして、このような構成をした本考案に係る捕球装置１００にあっては、図２に示すように、飛翔してきたボールを捕球する捕球部１０と、この捕球部１０を支持する支持部２０とを着脱自在にすると共に、さらにその支持部２０をコンパクトに折り畳み自在としたことから、捕球部１０と支持部２０とを分離してそれぞれ搬送できるだけでなく、狭い場所にも簡単に収容することができる。
【００５８】
この結果、例えば、普通乗用車などのトランクなどに簡単に積み込めるため、どこにでも簡単に持ち運ぶことができる。また、自転車や二輪車による運搬も可能となる。また、狭い倉庫や用具入れなどにも簡単に収容することができる。
【００５９】
また、図３に示すようにベースフレーム４０，４０を連結するリンク機構５０に、そのリンク部材５２，５２，５２，５２をセンターフレーム５１に対して直交方向になるように付勢するための付勢部材（コイルバネ）５３，５３を備えたことから、その付勢部材５３，５３の付勢力によって支持部２０を自動的に展開してその状態を維持することができる。
【００６０】
また、図７〜図１２に示したように、アーム３０をベースフレーム４０側に支持する支持部材７１，７１同士の連結部（屈曲部）に、断面コ字形の固定部材８１とコイルバネ８２などからなるロック機構８０を備えたため、アーム３０を起こすだけでその連結部（屈曲部）を自動的にロックしてその支持状態を維持することができる。
【００６１】
反対にこの固定部材８１を引っ張って支持部材７１，７１との係合を解除すれば簡単にアーム３０を倒して折り畳むことができる。
【００６２】
また、図６に示すように、ベースフレーム４０，４０には、リンク機構５０を完全に折り畳んだ状態のときにこれらベースフレーム４０，４０同士を連結する連結具６０を設けたため、折り畳んだ状態で支持部２０が勝手に開かないように確実に固定できる。
【００６３】
また、補給部１０は、一対の軸体１３，１３を軸として枠体１１が自由に回動するため、その枠体１１の向き、つまり捕球袋１２の開口部の向きを簡単に調整することができる。また、この開口部の向き（角度）を決定した後に、ナット部材１５、１５を締め付ければその位置で枠体１１を固定できるため、ボールの衝突などによって開口部の向きがずれてしまうようなこともない。
【００６４】
また、図１などに示すように、支持部１０に車輪９０，９０，９０，９０を備えれば、装置を水平に押すだけで容易に移動することができる。さらに、この車輪９０，９０，９０，９０としてロック付きのキャスターを用いれば、傾斜地であってもその位置に留めておくとができると共に、ボールが衝突したときの衝撃や風などによって設置位置がずれるのを防ぐことができる。
【００６５】
また、さらに図１などに示すようにこの車輪９０をリンク機構５０のセンターフレーム５１の両端にも設ければ、その部分にかかる荷重を車輪９０，９０が受けることができるため、うっかりリンク機構５０を踏んだ場合でもその部分が折れ曲がったり破損しまうなどといった不都合を未然に回避できる。
【００６６】
なお、本考案に係る捕球装置１００は、その一部あるいは全部を金属製のパイプや金属板などから構成すれば、必要な強度を発揮しつつその全体の軽量化を達成できるが、これらの材料に代わり、あるいはこれらの材料と共にその他の材料、例えば繊維強化プラスチックなどの樹脂や木材などを用いても良い。
【産業上の利用可能性】
【００６７】
本考案の捕球装置は、主にテニスボールなどを捕球するために機能するが、その他に物入れや移動式のディスプレイ機材などとしても活用可能である。
【符号の説明】
【００６８】
１００…捕球装置
１０…補給部
１１…枠体
１２…捕球袋
１３…軸体
１４…座金部材
１５…ナット部材
２０…支持部
３０…アーム
３１…貫通孔
３２…軸支部材
４０…ベースフレーム
５０…リンク機構
５１…センターフレーム
５２…リンク部材
５３…付勢部材（コイルバネ）
５４…軸支部材
５５…カバー
６０…連結具
６１…板部材
６２…切り欠き
６３…摘み部
６４…係止ピン
７０…支持機構
７１…支持部材
７２…ピン
７３…止めピン
７４…貫通孔
７５…ピン部材
８０…ロック機構
８１…固定部材
８２…コイルバネ
８３…摘み部
８４…切り欠き
９０…車輪
【図１】
0003163978.tif 000003
【図２】
0003163978.tif 000004
【図３】
0003163978.tif 000005
【図４】
0003163978.tif 000006
【図５】
0003163978.tif 000007
【図６】
0003163978.tif 000008
【図７】
0003163978.tif 000009
【図８】
0003163978.tif 000010
【図９】
0003163978.tif 000011
【図１０】
0003163978.tif 000012
【図１１】
0003163978.tif 000013
【図１２】
0003163978.tif 000014
【図１３】
0003163978.tif 000015
【手続補正書】
【提出日】平成22年9月7日(2010.9.7)
【手続補正１】
【補正対象書類名】実用新案登録請求の範囲
【補正対象項目名】全文
【補正方法】変更
【補正の内容】
【実用新案登録請求の範囲】
【請求項１】
飛翔してきたボールを捕球する捕球部と、当該捕球部を支持する支持部とを有する捕球装置であって、
前記捕球部は、前記支持部に着脱自在となっていると共に、
前記支持部は、互いにほぼ水平に対向する一対のベースフレームと、
当該ベースフレーム同士を近接離間自在に連結するリンク機構と、
前記一対のベースフレームに対してそれぞれ俯仰自在に軸支された一対のアームと、
当該各アームを前記各ベースフレームに所定の角度で支持する支持機構とを有することを特徴とする捕球装置。
【請求項２】
請求項２に記載の捕球装置において、
前記リンク機構は、前記一対のベースフレーム間にこれとほぼ並行に位置するセンターフレームと、
当該センターフレームを前記一対のベースフレーム側にそれぞれ軸支連結する複数のリンク部材と、
当該複数のリンク部材を前記センターフレームに対してそれぞれ直交方向に付勢する付勢部材とを有することを特徴とする捕球装置。
【請求項３】
請求項１または２に記載の捕球装置において、
前記支持機構は、それぞれ一端が前記ベースフレーム側および前記アーム側に軸支された一対の支持部材同士を屈曲自在に連結すると共に、
当該支持部材同士の連結部に、当該連結部の屈曲を規制するロック機構を備えたことを特徴とする捕球装置。
【請求項４】
請求項３に記載の捕球装置において、
前記ロック機構は、前記支持部材同士がほぼ直線状になったときにその連結部を囲むように位置する固定部材を有し、当該固定部材を前記支持部材の一方に当該連結部に対して近接離間自在に取り付けると共に、当該固定部材を当該連結部に対して近接する方向に付勢する付勢部材を有することを特徴とする捕球装置。
【請求項５】
請求項１乃至４のいずれかに記載の捕球装置において、
前記支持部に前記ベースフレーム同士が近接したときに当該ベースフレーム同士を連結する連結具を有することを特徴とする捕球装置。
【請求項６】
請求項１乃至５のいずれかに記載の捕球装置において、
前記支持部に車輪を備えたことを特徴とする捕球装置。
【請求項７】
請求項１乃至５のいずれかに記載の捕球装置において、
前記捕球部は、前記アーム間に架け渡すように取り付けられる枠体と、当該枠体に開口部が取り付けられた捕球袋とを有することを特徴とする捕球装置。
【請求項８】
請求項７に記載の捕球装置において、
前記枠体は、一対の軸体を有し、当該各軸体を前記各アームに軸支して取り付けられたことを特徴とする捕球装置。
【請求項９】
請求項１乃至８の何れかに記載の捕球装置において、
前記支持部を構成する部材の一部又は全部が金属製のパイプからなることを特徴とする捕球装置。